(57)【要約】【課題】フレコンバッグに充填された粉体を、効率よく、適切に、経済的に吸引し取出すことができる粉体の吸引取出装置を提供する。【解決手段】フレコンバッグの粉体の吸引取出装置（２）が、粉体を充填したフレコンバッグ（Ｆ）の上部の投入口（４）の一側および対向した他側に位置する吊りベルト（Ｂ）を、個別に昇降を自在に吊り上げる一側および他側の吊り上げ装置（６，８）と、これらの吊り上げ装置によって吊り上げたフレコンバッグ内に投入口を通して上方から昇降を自在に挿入され、粉体を吸引し取出す吸引ノズル（Ｎ）を備えている。【選択図】図１
2015086023.tif 000002
【特許請求の範囲】
【請求項１】
粉体を充填したフレコンバッグの上部の投入口の一側および対向した他側に位置する吊りベルトを、個別に昇降を自在に吊り上げる一側および他側の吊り上げ装置と、
これらの吊り上げ装置によって吊り上げたフレコンバッグ内に投入口を通して上方から昇降を自在に挿入され、粉体を吸引し取出す吸引ノズルと、を備えている、
ことを特徴とするフレコンバッグの粉体の吸引取出装置。
【請求項２】
吊り上げ装置それぞれが、
フレコンバッグの側方に対向して設置され、
吊りベルトそれぞれに繋がるワイヤと、滑車を介してこれらのワイヤを牽引する吊り上げ手段とを備えている、
ことを特徴とする請求項１記載のフレコンバッグの粉体の吸引取出装置。
【請求項３】
吊りベルトそれぞれを、投入口を跨いだ所定の間隔で吊るとともに、この吊り位置に対応する位置に吊り上げ装置それぞれのワイヤが連結される吊り上げ治具を備えている、
ことを特徴とする請求項１または２記載のフレコンバッグの粉体の吸引取出装置。
【請求項４】
吊り上げ装置それぞれを作動させ、吊りベルトに高低差を設けてフレコンバッグを傾け内部の粉体を「ほぐす」、
ことを特徴とする請求項１から３までのいずれかに記載のフレコンバッグの粉体の吸引取出装置。
【請求項５】
吊り上げ装置それぞれを作動させ、吊りベルトに高低差を設けてフレコンバッグを傾けた状態で、内部の粉体を吸引する、
ことを特徴とする請求項１から４までのいずれかに記載のフレコンバッグの粉体の吸引取出装置。
【請求項６】
吊り上げたフレコンバッグの外側に進退を自在に当接し、フレコンバッグの内壁面に付着した粉体を剥離、崩落させる複数個の袋押し手段を備えている、
ことを特徴とする請求項１から３までのいずれかに記載のフレコンバッグの粉体の吸引取出装置。
【請求項７】
吊りベルトの各々が吊り荷重の計測手段を介して吊り上げられ、
計測手段により計測した粉体の減量値に基づいて、所望の吸引取出量を得るように、フレコンバッグおよび／または吸引ノズルを昇降させる、
ことを特徴とする請求項１から３および５のいずれかに記載のフレコンバッグの粉体の吸引取出装置。
【発明の詳細な説明】
【技術分野】
【０００１】
本発明は、フレコンバッグ内の粉体の吸引取出装置に関する。
【背景技術】
【０００２】
袋内の粉体を吸引ノズルによって吸引し取出す装置が実用されている（例えば、特許文献１参照）。
【先行技術文献】
【特許文献】
【０００３】
【特許文献１】特開２０１２−１３０３号公報（図１）
【発明の概要】
【発明が解決しようとする課題】
【０００４】
従来の粉体の吸引取出装置には、次のとおりの課題がある。
【０００５】
すなわち、多量の粉体を保管・運搬することができる袋状のフレコンバッグに収容した粉体の吸引取出しは、袋が大きいこと、粉体を収容した袋の形が不安定なこと、また袋内の粉体が部分的に固まりやすく不均一部分があることなどから、効率よく、適切に、経済的に行うのが難しい。
【０００６】
本発明は上記事実に鑑みてなされたもので、その技術的課題は、フレコンバッグに充填された粉体を、効率よく、適切に、経済的に吸引し取出すことができる、粉体の吸引取出装置を提供することである。
【課題を解決するための手段】
【０００７】
本発明によれば上記技術的課題を解決するフレコンバッグの粉体の吸引取出装置として、粉体を充填したフレコンバッグの上部の投入口の一側および対向した他側に位置する吊りベルトを、個別に昇降を自在に吊り上げる一側および他側の吊り上げ装置と、これらの吊り上げ装置によって吊り上げたフレコンバッグ内に投入口を通して上方から昇降を自在に挿入され、粉体を吸引し取出す吸引ノズルと、を備えている、ことを特徴とするフレコンバッグの粉体の吸引取出装置が提供される。
【０００８】
好適には、吊り上げ装置それぞれが、フレコンバッグの側方に対向して設置され、吊りベルトそれぞれに繋がるワイヤと、滑車を介してこれらのワイヤを牽引する吊り上げ手段と、を備えている。
【０００９】
また、吊りベルトそれぞれを、投入口を跨いだ所定の間隔で吊るとともに、この吊り位置に対応する位置に吊り上げ装置それぞれのワイヤが連結される吊り上げ治具を備えている。
【００１０】
そして、吊り上げ装置それぞれを作動させ、吊りベルトに高低差を設けてフレコンバッグを傾け内部の粉体を「ほぐす」。また、吊り上げ装置それぞれを作動させ、吊りベルトに高低差を設けてフレコンバッグを傾けた状態で、内部の粉体を広範囲に吸引する。
【００１１】
さらに、吊り上げたフレコンバッグの外側に進退を自在に当接し、フレコンバッグの内壁面に付着した粉体を剥離、崩落させる複数個の袋押し手段を備えている。
【００１２】
また、吊りベルトの各々が吊り荷重の計測手段を介して吊り上げられ、計測手段により計測した粉体の減量値に基づいて、所望の吸引取出量を得るように、フレコンバッグおよび／または吸引ノズルを昇降させる。
【発明の効果】
【００１３】
本発明に従って構成されたフレコンバッグの粉体の吸引取出装置は、フレコンバッグの上部の投入口の一側および他側に位置する吊りベルトを、個別に昇降を自在に吊り上げる吊り上げ装置と、吊り上げ装置によって吊り上げたフレコンバッグ内に投入口を通して昇降を自在に挿入され、粉体を吸引し取出す吸引ノズルを備えている。
【００１４】
したがって、大形で柔軟な袋であるフレコンバッグを、その吊りベルトを吊り上げて持上げた状態で、袋内に吸引ノズルを挿入するので、袋が変形し垂れ下がった状態でも吸引ノズルを袋の底部まで容易に挿入でき、また袋を吊り上げ傾けた状態にすることにより袋内の粉体の部分的な固まりを「ほぐす」ことができ、フレコンバッグ内に充填された粉体を、効率よく、適切に、経済的に吸引し取出すことができる。
【００１５】
なお、この吸引取出装置の詳細な作用効果については、さらに後に述べる。
【図面の簡単な説明】
【００１６】
【図１】本発明に従って構成されたフレコンバッグの粉体の吸引取出装置の構成説明図。
【図２】図１のＡ−Ａ矢印方向に吸引取出装置を上方から見た図。
【図３】図１のＡ−Ａ矢印方向に押し手段を上方から見た説明図。
【図４】フレコンバッグを吊り荷重の計測手段を介して吊り上げた状態の説明図。
【図５】フレコンバッグを吊り上げ装置により傾けて吊り上げた状態の説明図。
【発明を実施するための形態】
【００１７】
以下、本発明に従って構成されたフレコンバッグの粉体の吸引取出装置について、好適実施形態を図示している添付図面を参照して、さらに詳細に説明する。
【００１８】
図１および図２を参照して説明する。全体を番号２で示すフレコンバッグの粉体の吸引取出装置は、粉体を充填したフレコンバッグＦの上部の投入口４の一側および対向した他側に位置する吊りベルトＢを、個別に昇降を自在に吊り上げる一側の吊り上げ装置６および他側の吊り上げ装置８と、これらの吊り上げ装置６、８によって吊り上げたフレコンバッグＦ内に投入口４を通して上方から昇降を自在に挿入され、粉体を吸引し取出す吸引ノズルＮを備えている。
【００１９】
フレコンバッグＦは、周知のもので、粉末や粒状の粉体を保管・運搬するための、ポリエチレンやポリプロピレン等の丈夫な化学繊維で編まれたシートで作られている。上部には、粉体の投入口４とともに、フォークリフトやクレーン等で吊りあげるのに適した丈夫な吊りベルトＢが付けられている。
【００２０】
吊り上げ装置６、８それぞれは、フレコンバッグＦの側方の両側に対向して地上Ｇに設けられた基台フレーム１０に設置され、一側および他側の吊りベルトＢそれぞれに繋がる一対のワイヤＷと、フレコンバッグＦの上方に位置した一対の滑車Ｐを介してこれらのワイヤＷを牽引する吊り上げ手段１２、１４を備えている。
【００２１】
吊り上げ手段１２、１４は実質的に同じもので、それぞれがインバータモータ１６により上下方向（矢印Ｘで示す）にスクリュー軸等によって伸縮自在に駆動される昇降軸１８を備えている。昇降軸１８の先端には水平方向（図１の紙面に直角の方向）に延びる連結フレーム２０を備え、連結フレーム２０の長手方向の両端にワイヤＷの一端が取付けられている。連結フレーム２０の両端部は基台フレーム１０に上下方向に昇降滑動を自在に取付けられている。
【００２２】
吊りベルトＢそれぞれは、吊り上げ治具２２を介して、吊り上げ装置６、８それぞれのワイヤＷの他端に連結されている。すなわち、吊り上げ治具２２は、上方から見て投入口４を囲う矩形に形成され、吊りベルトＢを、投入口４を跨いだ所定の間隔で２個ずつ矩形の角４個所で吊るように形成され、このそれぞれの吊り位置に対応して吊り上げ装置６、８のワイヤＷが連結されている。
【００２３】
吊り上げ治具２２の角４個所に、吊りベルトＢはフックＨを介して、またワイヤＷはシャックルＳを介して連結されている。
【００２４】
吸引ノズルＮは、真直なステンレス鋼管によって形成され、基台フレーム１０の上端部に、ギヤ、クラッチ、ブレーキ付きのインバータモータ２４によって上下方向（矢印Ｚで示す）に昇降を自在に、また自由降下を可能に取付けられている。吸引ノズルＮの上端には可撓ホースを備えた輸送管２６が連結されている。吸引ノズルＮの下端の吸引口には、棒状部材を格子状にした、袋の吸着を防止する吸着防止ガイド２８が取付けられている。
【００２５】
輸送管２６は、バッグフィルタ３０を介して、粉体を吸引する負圧を生成するブロワー３２に連結されている。バッグフィルタ３０の下方には吸引した粉体を収容する貯槽３４が設置されている。バッグフィルタ３０およびブロワー３２は周知のものである。
【００２６】
図１とともに図３を参照して説明する。粉体の吸引取出装置２は、吊り上げたフレコンバッグＦの外側に進退を自在に当接し、フレコンバッグＦの内壁面に付着した粉体を剥離、崩落させる、フレコンバッグＦの両側に対称に設置された複数個（一対）の袋押し手段３６、３６を備えている。
【００２７】
袋押し手段３６は、フレコンバッグＦに対向して水平に延びる円柱状のプッシャー３８と、この長手方向の両端部に連結され一端が基台フレーム１０に取付けられた伸縮自在な一対のエアシリンダ４０、４０を備えている。エアシリンダ４０を伸長させることによりプッシャー３８をフレコンバッグＦに押付け（図３に二点鎖線で示す）、収縮させることによりフレコンバッグＦから引離す。
【００２８】
次に図４を参照して説明する。吊りベルトＢの各々は、吊り荷重の計測手段であるロードセル４２を介して吊り上げられている。すなわち、吊り上げ治具２２の４個所のフックＨと吊りベルトＢの間に計４個のロードセル４２が取付けられている。なお、図４以外においては絵が煩雑になるのを避けてロードセル４２の図示は省略されている。
【００２９】
この粉体の吸引取出装置２においては、所望の吸引取出量を得るように、吊りベルトＢに取付けた計測手段のロードセル４２により計測した粉体の減量値に基づいて、フレコンバッグＦおよび／または吸引ノズルＮを昇降させ、また吸引負圧源のブロワー３２（図１）を制御する。
【００３０】
上述の粉体の吸引取出装置２による粉体吸引取出しの基本動作について説明する。
【００３１】
（１）図１を参照して説明する。吊り上げ装置６、８それぞれを作動させ、吊りベルトＢを略均等に吊り上げてフレコンバッグＦを吊り上げ、ブロワー３２を作動させ、フレコンバッグＦ内部の粉体の中に吸引ノズルＮを挿入して、粉体を吸引する。そして、柔軟なフレコンバッグＦの変形した底部まで吸引ノズルＮを送ることにより（二点鎖線で示す）袋内の粉体を残すことなく吸引する。
【００３２】
（２）図５を参照して説明する。吊り上げ装置６，８それぞれを作動させ、吊りベルトＢに高低差を設けてフレコンバッグＦを一方あるいは他方に傾けて、内部の粉体の部分的な固まりや不均一部分を「ほぐし」ブリッジブレーカとして機能させ、粉体の吸引を容易にする。
【００３３】
（３）図５を参照して説明する。吊り上げ装置６、８それぞれを作動させ、吊りベルトＢに高低差を設けてフレコンバッグＦを傾けた状態（図５に二点鎖線で示す）にし、フレコンバッグＦの底部の隅まで吸引ノズルＮを送り、袋内の粉体を広範囲に吸引する。
【００３４】
（４）図１、図３を参照して説明する。任意の所望の位置に吊り上げたフレコンバッグＦの外側に、進退を自在に袋押し手段３６を当接させ、フレコンバッグＦを変形させ、内壁面に付着した粉体を剥離、崩落させ、粉体の吸引を容易にする。
【００３５】
上述したとおりのフレコンバッグの粉体の吸引取出装置２の作用効果について説明する。
【００３６】
（１）粉体の吸引取出装置２は、フレコンバッグＦの投入口４の一側および他側に位置する吊りベルトＢを、個別に昇降を自在に吊り上げる吊り上げ装置６、８と、吊り上げ装置６、８によって吊り上げたフレコンバッグＦ内に投入口４を通して上方から昇降を自在に挿入され、粉体を吸引し取出す吸引ノズルＮを備えている。
【００３７】
したがって、大形で柔軟な袋であるフレコンバッグＦを、その吊りベルトＢを吊り上げて持上げた状態で、袋内に吸引ノズルＮを挿入するので、袋が変形し垂れ下がった状態でも吸引ノズルＮを袋の底部まで容易に挿入でき、また袋を吊り上げ傾けた状態にすることにより袋内の粉体の部分的な固まりを「ほぐす」ことができ、フレコンバッグＦ内に充填された粉体を、効率よく、適切に、経済的に吸引し取出すことができる。
【００３８】
さらに、吸引ノズルＮを横方向に移動させる横行手段を備えることなく吸引でき、またフレコンバッグＦの投入口４の小径のものにも適用でき、そして柔軟な変形しやすいフレコンバッグＦを保持するための「収容容器」も不要であるので、経済的な吸引取出装置を提供できる。
【００３９】
（２）粉体の吸引取出装置２は、吊り上げ装置６、８それぞれが、フレコンバッグＦの側方に対向して設置され、吊りベルトＢそれぞれに繋がるワイヤＷと、滑車Ｐを介してこれらのワイヤＷを牽引する吊り上げ手段１２，１４を備えている。
【００４０】
したがって、吊り上げ装置６、８の間に吊り上げたフレコンバッグＦを傾ける空間を適切に用意することができるとともに、投入口４の真上には摺動部を有した箇所がないので、フレコンバッグＦ内の粉体への異物の混入がない。
【００４１】
（３）粉体の吸引取出装置２は、吊りベルトＢそれぞれを、投入口４を跨いだ所定の間隔で吊るとともに、この吊り位置に対応する位置に吊り上げ装置６、８それぞれのワイヤＷが連結される吊り上げ治具２２を備えている。
【００４２】
したがって、フレコンバッグＦを、吸引ノズルＮの投入口４を常に確保して、適切に吊り上げることができる。
【００４３】
（４）粉体の吸引取出装置２は、吊り上げ装置６、８それぞれを作動させ、吊りベルトＢに高低差を設けてフレコンバッグＦを傾け内部の粉体を「ほぐす」ことができる。また、吊り上げ装置６、８それぞれを作動させ、吊りベルトＢに高低差を設けてフレコンバッグＦを傾けた状態で、内部の粉体を広範囲に吸引する。
【００４４】
したがって、フレコンバッグＦを傾けることにより、内部の粉体の部分的な固まりや不均一部分を「ほぐす」例えば攪拌翼のような手段を備えることなく、粉体を「ほぐし」吸引することができる。また、図５から容易に理解できるように、フレコンバッグＦを交互に傾けることにより、フレコンバッグＦ内の粉体を広範囲に吸引することができる。
【００４５】
（５）粉体の吸引取出装置２は、吊り上げたフレコンバッグＦの外側に進退を自在に当接し、フレコンバッグＦの内壁面に付着した粉体を剥離、崩落させる複数個の押し手段３６を備えている。
【００４６】
したがって、吊り上げ装置６、８によってフレコンバッグＦを任意の位置に吊り上げてフレコンバッグＦの任意の位置を外側から押し手段３６によって押すことにより、内壁面に付着した粉体を剥離、崩落させ、粉体の吸引を、無駄なく容易に行うことができる。
【００４７】
（６）粉体の吸引取出装置２は、吊りベルトＢの各々が吊り荷重の計測手段４２（図４）を介して吊り上げられ、計測手段４２により計測した粉体の減量値に基づいて、所望の吸引取出量を得るように、フレコンバッグＦおよび／または吸引ノズルＮを昇降させる。
【００４８】
したがって、所望の量の粉体を、最適スピードで経済的に吸引し取出すことができる。
【００４９】
以上、本発明を実施例に基づいて詳細に説明したが、本発明は上記の実施例に限定されるものではなく、例えば下記のように、本発明の範囲内においてさまざまな変形あるいは修正ができるものである。
【００５０】
本実施例においては、吊りベルトＢを吊り上げる吊り上げ装置６、８は、地上Ｇに設けられた基台フレーム１０に設置されているが、地上Ｇでなく天井に設置するようにしてもよい。
【００５１】
本実施例においては、フレコンバッグＦ内の粉体の吸引取出手順について詳述していないが、一連の、吊り上げ装置６、８を作動させ、吊りベルトＢを吊り上げフレコンバッグＦを吊り上げ、ブロワー３２を作動させ、フレコンバッグＦの粉体の中に吸引ノズルＮの挿入する、等の操作を、コントローラを備えて自動制御するようにしてもよい。
【００５２】
本実施例においては、吊り荷重の計測手段４２を備え、計測手段４２によって計測した粉体の減量値に基づいて、所望の吸引取出量を得るようにしたが、用途により計測手段４２が必要なければ省略してもよい。
【００５３】
本実施例においては、吊り上げ装置６、８の吊り上げ手段１２、１４は、昇降軸１８の先端に水平に延び基台フレーム１０に昇降滑動自在に取付けた連結フレーム２０を備え、その両端に２本のワイヤＷそれぞれを取付け、これらのワイヤＷを、滑車Ｐを介して吊り上げ治具２０に連結しているが、昇降軸１８の先端にワイヤＷ１本を連結し、このワイヤＷを１個の滑車Ｐを介した後にＹ字状に２本に分け、それぞれを吊り上げ治具２２に連結するようにして、連結フレーム２０を削除し、滑車Ｐの数を減らすようにしてもよい。
【符号の説明】
【００５４】
２：フレコンバッグの粉体の吸引取出装置
４：投入口
６：一側の吊り上げ装置
８：他側の吊り上げ装置
１２：吊り上げ手段
１４：吊り上げ手段
２２：吊り上げ治具
３６：袋押し手段
４２：ロードセル（計測手段）
Ｂ：ベルト
Ｆ：フレコンバッグ
Ｎ：吸引ノズル
Ｐ：滑車
Ｗ：ワイヤ
【図１】
2015086023.tif 000003
【図２】
2015086023.tif 000004
【図３】
2015086023.tif 000005
【図４】
2015086023.tif 000006
【図５】
2015086023.tif 000007